(57)【要約】【課題】移動可能なディスプレイを有するミキシングコンソールの提供。【解決手段】本発明は、少なくとも１つのオーディオ信号チャネルを受け取るように構成される入力ユニットを備える、ミキシングコンソールに関し、該ミキシングコンソールは、オーディオ信号チャネルに関連する情報を表示するように構成される、第１のディスプレイと、少なくとも１つのオーディオ信号チャネルの少なくとも１つの信号特性を制御するように構成される、複数の制御要素とを備え、第１のディスプレイおよび複数の制御要素は、ミキシングコンソールの第１の表面領域に位置する。ミキシングコンソールはさらに、第１の表面領域に提供される少なくとも１つの接続要素と、少なくとも１つの接続要素と相互作用して、タッチセンシティブディスプレイを第１の表面領域に取り外し可能に接続する少なくとも１つの支持要素を備える、タッチセンシティブディスプレイとを備える。【選択図】図１
2015080201.tif 000002
【特許請求の範囲】
【請求項１】
ミキシングコンソール（１００）であって、
−少なくとも１つのオーディオ信号チャネルを受け取るように構成される、入力ユニット（１８５）と、
−オーディオ信号チャネル関連の情報を表示するように構成される、第１のディスプレイ（１３０〜１３２）と、
−前記少なくとも１つのオーディオ信号チャネルの少なくとも１つの信号特性を制御するように構成される、複数の制御要素（１２０〜２１３）であって、前記第１のディスプレイ（１３０〜１３２）および前記複数の制御要素（１２０〜１２３）は、前記ミキシングコンソールの第１の表面領域（１１０）に位置する、複数の制御要素（１２０〜１２３）と、
−前記第１の表面領域（１１０）に提供される、少なくとも１つの接続要素（１５０、１５３）と、
−タッチセンシティブディスプレイ（２００）を前記第１の表面領域（１１０）に取り外し可能に接続するために、前記少なくとも１つの接続要素（１５０、１５３）と相互作用する少なくとも１つの支持要素（２１０）を備える、タッチセンシティブディスプレイ（２００）であって、前記少なくとも１つの接続要素（１５０、１５３）は、前記タッチセンシティブディスプレイ（２００）が、前記第１の表面領域に接続されたときに、前記第１の表面領域の一部を覆うように、前記第１の表面領域（１１０）に位置する、タッチセンシティブディスプレイ（２００）と、を備える、ミキシングコンソール（１００）。
【請求項２】
前記タッチセンシティブディスプレイ（２００）に電力を無線伝送するように構成される、電力提供モジュール（１８０）をさらに備え、前記タッチセンシティブディスプレイは、前記無線伝送される電力を受け取るように構成され、かつ、前記タッチセンシティブディスプレイ（２００）に電力を提供するように構成される、受電ユニット（２２０）を備える、請求項１に記載のミキシングコンソール（１００）。
【請求項３】
前記受電ユニット（２２０）は、誘導結合によって、前記無線伝送される電力を受け取るように構成される、請求項２に記載のミキシングコンソール。
【請求項４】
前記少なくとも１つの接続要素（１５０、１５３）および前記少なくとも１つの支持要素（２１０）は、前記第１の表面領域（１１０）に平行な前記タッチセンシティブディスプレイの移動を可能にするように構成される、先行する請求項のいずれかに記載のミキシングコンソール。
【請求項５】
前記少なくとも１つの接続要素（１５０、１５３）は、異なるスナップイン位置（１５１、１５２）を前記タッチセンシティブディスプレイに提供するように構成され、各スナップイン位置において、前記タッチセンシティブディスプレイが、前記第１の表面領域の異なる部分を覆う、先行する請求項のいずれかに記載のミキシングコンソール。
【請求項６】
前記タッチセンシティブディスプレイ（２００）に表示される前記情報を生成するように構成される、情報生成ユニット（１６０）をさらに備える、先行する請求項のいずれかに記載のミキシングコンソール（１００）。
【請求項７】
前記情報生成ユニット（１８０）は、前記タッチセンシティブディスプレイ（２００）に表示される位置依存的な情報を生成するように構成され、前記情報生成ユニット（１８０）は、前記タッチセンシティブディスプレイが位置する前記スナップイン位置に依存して表示される前記情報を生成する、請求項５および６に記載のミキシングコンソール（１００）。
【請求項８】
前記入力ユニット（１３５）は、異なるオーディオ信号チャネルを受け取るように構成され、前記ミキシングコンソールは、各オーディオチャネルについて、前記対応するチャネルの前記信号特性を制御するために制御要素が位置する、前記第１の表面領域（１１０）上の部分（１０１〜１０５）を備え、前記情報生成ユニット（１８０）は、前記第１の表面領域（１１０）のどの部分で、前記タッチセンシティブディスプレイ（２００）が前記第１の表面領域（１１０）に接続されているのかを判定するように構成され、前記第１の表面領域の前記判定された部分において、少なくとも１つのオーディオ信号チャネルが制御され、前記情報生成ユニット（１８０）は、前記判定された少なくとも１つのオーディオ信号チャネルに依存して前記タッチセンシティブディスプレイ（２００）に表示される情報を生成するように構成される、請求項６または７に記載のミキシングコンソール（１００）。
【請求項９】
前記異なるスナップイン位置（１５１、１５２）は、前記第１の表面領域の前記異なる部分に提供される、請求項５および８に記載のミキシングコンソール（１００）。
【請求項１０】
前記少なくとも１つの接続要素（１５１、１５３）は、前記第１の表面領域（１１０）での前記タッチセンシティブディスプレイの水平移動および垂直移動のうちの少なくとも１つを可能にするレールを備える、請求項４〜９のいずれかに記載のミキシングコンソール。
【請求項１１】
前記少なくとも１つの支持要素（２１０）は、前記少なくとも１つの接続要素として提供される少なくとも１つのレールの中を移動する、少なくとも１つの車輪を備える、先行する請求項のいずれかに記載のミキシングコンソール（１００）。
【請求項１２】
前記情報生成ユニット（１８０）は、前記ミキシングコンソール全体としての操作状態に関連し、単一のオーディオ信号チャネルに関連しない情報を生成するように構成される、請求項６〜１１のいずれかに記載のミキシングコンソール（１００）。
【請求項１３】
前記タッチセンシティブディスプレイ（２００）は、前記タッチセンシティブディスプレイの中へ組み込まれる、電源を備える、先行する請求項のいずれかに記載のミキシングコンソール（１００）。
【請求項１４】
前記タッチセンシティブディスプレイ（２００）は、前記第１の表面領域に接続されたときに、前記第１のディスプレイおよび前記複数の制御要素のいくつかのうちの少なくとも１つを覆う、先行する請求項のいずれかに記載のミキシングコンソール。
【請求項１５】
ミキシングコンソール（１００）に入力される少なくとも１つのオーディオ信号チャネルの信号特性を表示するように構成される、タッチセンシティブディスプレイ（２００）であって、
−前記タッチセンシティブディスプレイ（２００）を前記ミキシングコンソールの操作表面領域に取り外し可能に接続するために、前記ミキシングコンソールの前記操作表面領域に提供される接続要素（１５０、１５３）と相互作用するように構成される、少なくとも１つの支持要素（２１０）と、
−前記タッチセンシティブディスプレイを動作させるために使用される電力を無線で受け取るように構成される、受電ユニット（２２０）と、
−前記ミキシングコンソールによって生成され、前記タッチセンシティブディスプレイに表示される表示情報を無線で受け取るように構成される、通信インターフェース（２２０）であって、前記表示情報は、前記少なくとも１つのオーディオ信号チャネルの前記信号特性を備える、通信インターフェース（２２０）と、
−前記受け取った表示情報を前記タッチセンシティブディスプレイの画面に表示するように構成される、表示生成モジュール（２４０）と、を備える、タッチセンシティブディスプレイ（２００）。
【請求項１６】
前記少なくとも１つの支持要素（２１０）は、前記ミキシングコンソール上での前記タッチセンシティブディスプレイの支持を可能にし、かつ、前記ミキシングコンソールの前記操作表面領域に平行な前記タッチセンシティブディスプレイの移動を可能にするように設計される、請求項１５に記載のタッチセンシティブディスプレイ（２００）。
【請求項１７】
前記通信インターフェース（２２０）は、前記ミキシングコンソールから前記表示情報を受け取るように構成され、かつ、タッチ関連の情報を前記ミキシングコンソールに送るように構成される、双方向インターフェースである、請求項１５または１６に記載のタッチセンシティブディスプレイ（２００）。
【請求項１８】
前記少なくとも１つの支持要素（２１０）は、車輪およびレールのうちの少なくとも１つを備える、請求項１５〜１７のいずれかに記載のタッチセンシティブディスプレイ。
【発明の詳細な説明】
【技術分野】
【０００１】
種々の実施形態は、マルチトラックレコーディング、ブロードキャスト、ポストプロダクション、生の音響の補強、およびステージモニタリング等の用途のためのミキシングコンソール、および移動可能なタッチセンシティブディスプレイに関する。
【背景技術】
【０００２】
ミキシングコンソールは、サウンドシステムの心臓部であり、異なる音源、例えばマイクロフォン、電子楽器、テープレコーダー、またはＣＤプレーヤーから、複数のオーディオ信号チャネルを受け取る。ミキシングコンソールは、これらの音源を増幅し、及び、コンソールの操作者が、設置の要件に従って、音源を混合すること、音源を等化すること、および効果を加えることを可能にする。大部分がデジタルミキシングコンソールである現代のミキシングコンソールにおける複雑さおよび増大する機能性は、コンソールの操作者がアクセス可能な、同じミキサー面上のより多くの画面ユニットまたは処理ユニットに対する必要性を生じさせる。
【０００３】
一般的に、少なくとも１つの大型中央ディスプレイユニットが存在し、そこでは、中央ミキシングコンソール機能が表示され、操作することができる。中央ミキシングコンソール機能は、通常、単一のオーディオ信号チャネルまたはバスの機能に関連するのではなく、コンソールの操作モードに関連する。一例として、どの入力チャネルがどの出力チャンネルに伝送されるのかを示す、パッチング図が提供され得る。
【０００４】
ミキシングコンソールは、異なるチャネルのそれぞれについて、オーディオ信号の信号特性を適合させるために、フェーダーおよび回転ノブ等の操作要素を備える。ミキシングコンソールはさらに、しばしば、通常はフェーダーの上部に配置される、チャネル関連のディスプレイまたは処理ユニットを備える。この部分は、イコライザのようなチャネルパラメータを制御し、操作することを可能にする。さらに、レベルメーター画面が、同じ表面領域、例えば、操作者がアクセス可能である場合もあれば、そうでない場合もある表面領域の上部分に提供される。
【０００５】
操作要素の周囲の全ての利用可能な空間がチャネル画面によって使用され、また、上側表面の空間がレベルメーター画面に使用される場合は、中央ディスプレイを配置することができるいかなる自由空間もない。大部分の用途について、座っている操作者は、オーディオ信号が生成するイベントを監視するために、コンソール上を見るべきであるので、システム全体の上側表面の全高が制限される。
【０００６】
可能な解決策は、このディスプレイをミキシングコンソールの上部に置くか、またはミキシングコンソールの片側に置くことである。しかしながら、どちらの解決策も、操作者の視界を減少させ、また、ステレオ音響効果が損なわれる。さらに、どちらの解決策においても、操作者とディスプレイとの間の距離が長過ぎるので、タッチスクリーンディスプレイを使用することができない。
【発明の概要】
【発明が解決しようとする課題】
【０００７】
故に、上で述べた問題の少なくともいくつかを解決し、操作者の視界を損なわないミキシングコンソールを提供する必要性が存在する。
【課題を解決するための手段】
【０００８】
この必要性は、独立請求項の特徴によって満たされる。さらなる実施形態は、従属請求項において説明される。
【０００９】
第１の態様によれば、少なくとも１つのオーディオ信号チャネルを受け取るように構成される入力ユニットを備える、ミキシングコンソールが提供される。ミキシングコンソールはさらに、オーディオ信号チャネル関連の情報を表示するように構成される、第１のディスプレイを備える。さらに、少なくとも１つのオーディオ信号チャネルの少なくとも１つの信号特性を制御するように構成される、複数の制御要素が提供される。第１のディスプレイおよび複数の制御要素は、ミキシングコンソールの第１の表面領域に位置する。ミキシングコンソールはさらに、第１の表面領域に提供される、少なくとも１つの接続要素と、タッチセンシティブディスプレイを第１の表面領域に取り外し可能に接続するために、少なくとも１つの接続要素と相互作用する少なくとも１つの支持要素を備える、タッチセンシティブディスプレイとを備える。少なくとも１つの接続要素は、タッチセンシティブディスプレイが、第１の表面領域に接続されたときに、第１の表面領域の一部を覆うように、第１の表面領域に位置する。
【００１０】
第１の表面領域は、制御要素および一般的な情報を表示する第１のディスプレイが提供される、ミキサーの表面である。それは、操作者が、オーディオ信号チャネルを制御するためにミキシングコンソールを使用するときに到達し得る表面領域である。本実施形態において、タッチセンシティブディスプレイは、第１の表面領域に取り外し可能に接続され、タッチセンシティブディスプレイは、その接続状態において、第１の表面領域の少なくとも一部を覆う。上で説明されるミキシングコンソールは、追加的な画面またはディスプレイをミキシングコンソールの上部に配置する必要がなく、よって、操作者の視界が損なわれないという利点を有する。さらに、タッチセンシティブディスプレイを第１の表面領域に取り外し可能に提供することによって、タッチセンシティブディスプレイが操作者に近づき、したがって、タッチセンシティブとすることができる。操作者は、タッチセンシティブディスプレイを使用して、ミキシングコンソールの特定の機能を制御することができる。
【００１１】
タッチセンシティブディスプレイは、異なる種類の情報を表示することができる。第１の実施形態において、タッチセンシティブディスプレイに表示される情報は、パッチング図または単一のオーディオ機能にだけ関連するものではない情報等の、中央ミキシングコンソール機能に関連する情報である。
【００１２】
しかしながら、別の実施形態において、タッチセンシティブディスプレイによって表示される情報は、１つまたは複数のオーディオ信号チャネルに関連する可能性がある。
【００１３】
タッチセンシティブディスプレイは、第１の表面領域に摺動可能に配設され得ることがあり得る。一例として、第１の表面領域に提供される少なくとも１つの接続要素は、第１の表面領域に平行なタッチセンシティブディスプレイの移動を可能にするように構成され得る。一例として、接続要素は、第１の表面領域に提供され、かつ、第１の表面領域でのタッチセンシティブディスプレイの水平移動または垂直移動のうちの１つを可能にする、レールとして設計され得る。タッチセンシティブディスプレイの１つまたは複数の支持要素は、タッチセンシティブディスプレイが、提供されるレール上を摺動することを可能にする、摺動要素を備え得る。一例として、支持要素は、第１の表面領域のレールの中を誘導され、かつ、第１の表面領域に平行な移動を可能にする、車輪を含み得る。
【００１４】
本ミキシングコンソールにおいて、表面領域は、異なる部分に分割され得、ミキシングコンソールの異なる部分、およびしたがって第１の表面領域の異なる部分は、異なるオーディオ信号チャネルに提供される。少なくとも１つの接続要素は、この時点で、例えば位置関連の情報を表示するために、タッチセンシティブディスプレイを、ミキシングコンソール上の異なるスナップイン位置に提供することができるように構成され得る。少なくとも１つの接続要素は、異なるスナップイン位置をタッチセンシティブディスプレイに提供するように構成され得、各スナップイン位置において、タッチセンシティブディスプレイが、第１の表面領域の異なる部分を覆う。
【００１５】
ミキシングコンソールはさらに、タッチセンシティブディスプレイに表示される情報を生成するように構成される、情報生成ユニットを備えることができる。上で述べられるように、情報生成ユニットは、ミキシングコンソール全体としての操作状態に関連する情報を生成し得、または他の信号チャネル関連の情報を生成し得る。
【００１６】
情報生成ユニットは、タッチセンシティブディスプレイに表示される位置依存的な情報を生成するように構成することができる。情報生成ユニットは、次いで、タッチセンシティブディスプレイが位置するスナップイン位置に依存して表示される情報を生成する。例えばどのスナップイン位置にタッチセンシティブディスプレイが位置するのかを検出することによって、第１の表面領域上のタッチセンシティブディスプレイの位置を判定する、位置検出ユニットが提供され得、判定された場所に依存して、情報生成ユニットは、第１の表面領域上のタッチセンシティブディスプレイが位置する位置に関連する、ある種類の情報を生成することができる。
【００１７】
ミキシングコンソールは、異なるオーディオ信号チャネルについて、制御要素または第１のディスプレイが位置する第１の表面領域の異なる部分を備えることができ、該異なる部分は、対応するチャネルの信号特性を制御するために使用される。情報生成ユニットは、第１の表面領域のどの部分で、タッチセンシティブディスプレイが第１の表面領域に接続されているのかを判定し、第１の表面領域の判定された部分において、少なくとも１つのオーディオ信号チャネルが制御される。タッチセンシティブディスプレイによって表示される情報を生成する情報生成ユニットは、次いで、判定された少なくとも１つのオーディオ信号チャネルに依存して表示される情報を生成することができる。
【００１８】
そのような実施形態では、タッチセンシティブディスプレイが第１の表面領域に接続される表面の異なる部分で制御されるオーディオ機能を表示し、操作するために、第１の表面領域の上でタッチセンシティブディスプレイを移動させることが可能であり得る。
【００１９】
ミキシングコンソールはさらに、タッチセンシティブディスプレイに電力を無線伝送するように構成される、電力提供モジュールを備え得る。タッチセンシティブディスプレイは、無線伝送される電力を受け取るように構成され、かつ、タッチセンシティブディスプレイに電力を提供するように構成される、受電ユニットを備え得る。一例として、受電ユニットは、誘導結合によって、無線伝送される電力を受け取るように構成され得る。電力提供ユニットは、ミキシングコンソールの中へ組み込まれ得、また、タッチセンシティブディスプレイは、必ずしも別個の電力提供モジュールを備え得るとは限らない。
【００２０】
別の実施形態において、取り外し可能なタッチセンシティブディスプレイは、ディスプレイが第１の表面に接続されたときに充電することができる、それ自体の電源も備え得る。この実施形態では、第１の表面領域からタッチセンシティブディスプレイを取り外すことが可能であり得る。情報生成ユニットは、Ｂｌｕｅｔｏｏｔｈ（登録商標）、ＷＬＡＮ等の任意の無線伝送技術を使用して、タッチセンシティブディスプレイに表示される情報を伝送することができる。タッチセンシティブディスプレイを第１の表面領域から取り外したときに、表示される情報は、変わらないままである。すなわち、チャネル関連の情報がタッチセンシティブディスプレイに表示されている場合、チャネル関連の情報がディスプレイに表示されたままであり得、よって、操作者は、そのパラメータがタッチセンシティブディスプレイに示されるオーディオ信号を構成し、制御することができる。この実施形態において、タッチセンシティブディスプレイは、オーディオ信号の１つまたは複数のチャネルのためのある種類のリモートコントロールとして動作する。
【００２１】
別の実施形態において、タッチセンシティブディスプレイは、ミキシングコンソール全体としてのおよびその操作状態に関連する情報を表示することができる。タッチセンシティブディスプレイを第１の表面領域から取り外したときに、ミキシングコンソールの操作者は、それでも、タッチセンシティブディスプレイに表示される機能を監視し、制御することができる。接続していない状態において、情報生成ユニットは、タッチセンシティブディスプレイに表示される情報を伝送し続けることができ、よって、操作者は、オーディオ信号の所望の機能またはパラメータを連続的に監視することができる。
【００２２】
タッチセンシティブディスプレイは、あるサイズを有し、そのサイズによって、第１の表面領域の一部を覆う。一実施形態において、タッチセンシティブディスプレイは、第１の表面領域を覆い、そこでは、第１のディスプレイがオーディオ信号チャネル関連の情報を表示するか、または第１の表面領域に接続されたときに、制御要素が提供される。別の実施形態において、タッチセンシティブディスプレイは、いかなる表示要素または制御要素も提供されない第１の表面領域の一部に提供され得る。一例として、タッチセンシティブディスプレイは、オーディオチャネル関連の情報を表示する、複数の第１のディスプレイを置き換え得る。タッチセンシティブディスプレイを第１の表面領域の異なる位置に移動させることによって、対応する表面領域で制御されるオーディオ信号チャネル関連の情報が、タッチセンシティブディスプレイに表示され得る。この実施形態において、タッチセンシティブディスプレイは、第１のディスプレイのいくつかをチャネル関連の情報の表示と置き換える。第１の表面領域の上でタッチセンシティブディスプレイを移動させることによって、異なるチャネルについてチャネル関連の情報を表示することができる。
【００２３】
本発明はさらに、ミキシングコンソールに入力される少なくとも１つのオーディオ信号チャネルの信号特性を表示するように構成される、タッチセンシティブディスプレイに関する。ディスプレイは、タッチセンシティブディスプレイをミキシングコンソールの操作表面領域に取り外し可能に接続するために、ミキシングコンソールの操作表面領域に提供される接続要素と相互作用するように構成される、少なくとも１つの支持要素を備える。さらに、タッチセンシティブディスプレイを動作させるために使用される電力を無線で受け取るように構成される、受電ユニットが提供される。タッチセンシティブディスプレイの通信インターフェースは、オーディオミキシングコンソールによって生成され、タッチセンシティブディスプレイに表示される表示情報を無線で受け取るように構成され、該表示情報は、少なくとも１つのオーディオ信号チャネルの信号特性を含む。タッチセンシティブディスプレイの表示生成モジュールは、受け取った表示情報を生成するように構成される。
【００２４】
好ましくは、支持要素は、ミキシングコンソール上でのタッチセンシティブディスプレイの支持を可能にし、かつ、ミキシングコンソールの操作表面領域に平行なタッチセンシティブディスプレイの移動を可能にする。
【００２５】
さらに、通信インターフェースは、ミキシングコンソールから表示情報を受け取るように構成され、かつ、タッチ関連の情報をミキシングコンソールに送るように構成される、双方向インターフェースとすることができる。ユーザが、コマンドを生成するためにタッチセンシティブディスプレイの画面にタッチすると、このタッチ関連の情報、例えばディスプレイ上に示されるボタンの押下は、タッチ関連の情報として、ミキシングコンソールに伝送される。
【００２６】
受電ユニットおよび通信インターフェースは、単一の無線モジュールの中へ組み込まれ、そこでは、例えばソレノイドを使用して、ミキシングコンソールの無線周波を受け取ることができ、無線周波は、タッチセンシティブディスプレイに給電するために使用される。受け取った無線周波はまた、表示される表示情報も含むことができる。
【００２７】
支持要素は、タッチセンシティブディスプレイに提供される、１つの車輪またはレール、またはより多い数の車輪、例えば、タッチセンシティブディスプレイの下面に提供される２つ〜４つの車輪または１つもしくは２つのレールとすることができ、それらは、ミキシングコンソールの操作表面領域に提供される対応する接続要素と相互作用する。操作の表面領域は、上で述べられるミキシングコンソールの第１の表面領域に対応することができる。
【００２８】
上で述べられる特徴および下の未だ説明されていない特徴は、それぞれの示される文脈において使用することができるだけでなく、本発明の範囲から逸脱することなく、他の組み合わせで、または単独でも使用することができることを理解されたい。上で述べられる態様および実施形態の特徴は、他の実施形態において互いに組み合わせられ得る。上で簡潔に論じられる本発明のより具体的な説明は、添付図面で例示される本発明の具体的な実施形態を参照することによって描写されるであろう。
【００２９】
例えば、本願発明は以下の項目を提供する。
（項目１）
ミキシングコンソール（１００）であって、
−少なくとも１つのオーディオ信号チャネルを受け取るように構成される、入力ユニット（１８５）と、
−オーディオ信号チャネル関連の情報を表示するように構成される、第１のディスプレイ（１３０〜１３２）と、
−前記少なくとも１つのオーディオ信号チャネルの少なくとも１つの信号特性を制御するように構成される、複数の制御要素（１２０〜２１３）であって、前記第１のディスプレイ（１３０〜１３２）および前記複数の制御要素（１２０〜１２３）は、前記ミキシングコンソールの第１の表面領域（１１０）に位置する、複数の制御要素（１２０〜１２３）と、
−前記第１の表面領域（１１０）に提供される、少なくとも１つの接続要素（１５０、１５３）と、
−タッチセンシティブディスプレイ（２００）を前記第１の表面領域（１１０）に取り外し可能に接続するために、前記少なくとも１つの接続要素（１５０、１５３）と相互作用する少なくとも１つの支持要素（２１０）を備える、タッチセンシティブディスプレイ（２００）であって、前記少なくとも１つの接続要素（１５０、１５３）は、前記タッチセンシティブディスプレイ（２００）が、前記第１の表面領域に接続されたときに、前記第１の表面領域の一部を覆うように、前記第１の表面領域（１１０）に位置する、タッチセンシティブディスプレイ（２００）と、を備える、ミキシングコンソール（１００）。
（項目２）
前記タッチセンシティブディスプレイ（２００）に電力を無線伝送するように構成される、電力提供モジュール（１８０）をさらに備え、前記タッチセンシティブディスプレイは、前記無線伝送される電力を受け取るように構成され、かつ、前記タッチセンシティブディスプレイ（２００）に電力を提供するように構成される、受電ユニット（２２０）を備える、上記項目に記載のミキシングコンソール（１００）。
（項目３）
前記受電ユニット（２２０）は、誘導結合によって、前記無線伝送される電力を受け取るように構成される、上記項目のいずれか一項に記載のミキシングコンソール。
（項目４）
前記少なくとも１つの接続要素（１５０、１５３）および前記少なくとも１つの支持要素（２１０）は、前記第１の表面領域（１１０）に平行な前記タッチセンシティブディスプレイの移動を可能にするように構成される、上記項目のいずれか一項に記載のミキシングコンソール。
（項目５）
前記少なくとも１つの接続要素（１５０、１５３）は、異なるスナップイン位置（１５１、１５２）を前記タッチセンシティブディスプレイに提供するように構成され、各スナップイン位置において、前記タッチセンシティブディスプレイが、前記第１の表面領域の異なる部分を覆う、上記項目のいずれか一項に記載のミキシングコンソール。
（項目６）
前記タッチセンシティブディスプレイ（２００）に表示される前記情報を生成するように構成される、情報生成ユニット（１６０）をさらに備える、上記項目のいずれか一項に記載のミキシングコンソール（１００）。
（項目７）
前記情報生成ユニット（１８０）は、前記タッチセンシティブディスプレイ（２００）に表示される位置依存的な情報を生成するように構成され、前記情報生成ユニット（１８０）は、前記タッチセンシティブディスプレイが位置する前記スナップイン位置に依存して表示される前記情報を生成する、上記項目のいずれか一項に記載のミキシングコンソール（１００）。
（項目８）
前記入力ユニット（１３５）は、異なるオーディオ信号チャネルを受け取るように構成され、前記ミキシングコンソールは、各オーディオチャネルについて、前記対応するチャネルの前記信号特性を制御するために制御要素が位置する、前記第１の表面領域（１１０）上の部分（１０１〜１０５）を備え、前記情報生成ユニット（１８０）は、前記第１の表面領域（１１０）のどの部分で、前記タッチセンシティブディスプレイ（２００）が前記第１の表面領域（１１０）に接続されているのかを判定するように構成され、前記第１の表面領域の前記判定された部分において、少なくとも１つのオーディオ信号チャネルが制御され、前記情報生成ユニット（１８０）は、前記判定された少なくとも１つのオーディオ信号チャネルに依存して前記タッチセンシティブディスプレイ（２００）に表示される情報を生成するように構成される、上記項目のいずれか一項に記載のミキシングコンソール（１００）。
（項目９）
前記異なるスナップイン位置（１５１、１５２）は、前記第１の表面領域の前記異なる部分に提供される、上記項目のいずれか一項に記載のミキシングコンソール（１００）。
（項目１０）
前記少なくとも１つの接続要素（１５１、１５３）は、前記第１の表面領域（１１０）での前記タッチセンシティブディスプレイの水平移動および垂直移動のうちの少なくとも１つを可能にするレールを備える、上記項目のいずれか一項に記載のミキシングコンソール。
（項目１１）
前記少なくとも１つの支持要素（２１０）は、前記少なくとも１つの接続要素として提供される少なくとも１つのレールの中を移動する、少なくとも１つの車輪を備える、先行する上記項目のいずれか一項に記載のミキシングコンソール（１００）。
（項目１２）
前記情報生成ユニット（１８０）は、前記ミキシングコンソール全体としての操作状態に関連し、単一のオーディオ信号チャネルに関連しない情報を生成するように構成される、上記項目のいずれか一項に記載のミキシングコンソール（１００）。
（項目１３）
前記タッチセンシティブディスプレイ（２００）は、前記タッチセンシティブディスプレイの中へ組み込まれる、電源を備える、上記項目のいずれか一項に記載のミキシングコンソール（１００）。
（項目１４）
前記タッチセンシティブディスプレイ（２００）は、前記第１の表面領域に接続されたときに、前記第１のディスプレイおよび前記複数の制御要素のいくつかのうちの少なくとも１つを覆う、上記項目のいずれか一項に記載のミキシングコンソール。
（項目１５）
ミキシングコンソール（１００）に入力される少なくとも１つのオーディオ信号チャネルの信号特性を表示するように構成される、タッチセンシティブディスプレイ（２００）であって、
−前記タッチセンシティブディスプレイ（２００）を前記ミキシングコンソールの操作表面領域に取り外し可能に接続するために、前記ミキシングコンソールの前記操作表面領域に提供される接続要素（１５０、１５３）と相互作用するように構成される、少なくとも１つの支持要素（２１０）と、
−前記タッチセンシティブディスプレイを動作させるために使用される電力を無線で受け取るように構成される、受電ユニット（２２０）と、
−前記ミキシングコンソールによって生成され、前記タッチセンシティブディスプレイに表示される表示情報を無線で受け取るように構成される、通信インターフェース（２２０）であって、前記表示情報は、前記少なくとも１つのオーディオ信号チャネルの前記信号特性を備える、通信インターフェース（２２０）と、
−前記受け取った表示情報を前記タッチセンシティブディスプレイの画面に表示するように構成される、表示生成モジュール（２４０）と、を備える、タッチセンシティブディスプレイ（２００）。
（項目１６）
前記少なくとも１つの支持要素（２１０）は、前記ミキシングコンソール上での前記タッチセンシティブディスプレイの支持を可能にし、かつ、前記ミキシングコンソールの前記操作表面領域に平行な前記タッチセンシティブディスプレイの移動を可能にするように設計される、上記項目に記載のタッチセンシティブディスプレイ（２００）。
（項目１７）
前記通信インターフェース（２２０）は、前記ミキシングコンソールから前記表示情報を受け取るように構成され、かつ、タッチ関連の情報を前記ミキシングコンソールに送るように構成される、双方向インターフェースである、上記項目のいずれか一項に記載のタッチセンシティブディスプレイ（２００）。
（項目１８）
前記少なくとも１つの支持要素（２１０）は、車輪およびレールのうちの少なくとも１つを備える、上記項目のいずれか一項に記載のタッチセンシティブディスプレイ。
【００３０】
（摘要）
本発明は、少なくとも１つのオーディオ信号チャネルを受け取るように構成される入力ユニットを備える、ミキシングコンソールに関し、該ミキシングコンソールは、オーディオ信号チャネルに関連する情報を表示するように構成される、第１のディスプレイと、少なくとも１つのオーディオ信号チャネルの少なくとも１つの信号特性を制御するように構成される、複数の制御要素とを備え、第１のディスプレイおよび複数の制御要素は、ミキシングコンソールの第１の表面領域に位置する。ミキシングコンソールはさらに、第１の表面領域に提供される少なくとも１つの接続要素と、少なくとも１つの接続要素と相互作用して、タッチセンシティブディスプレイを第１の表面領域に取り外し可能に接続する少なくとも１つの支持要素を備える、タッチセンシティブディスプレイとを備え、少なくとも１つの接続要素は、タッチセンシティブディスプレイが第１の表面領域に接続されたときに、第１の表面領域の一部を覆うように、第１の表面領域に位置する。
【図面の簡単な説明】
【００３１】
【図１】取り外し可能なタッチセンシティブディスプレイを備える、ミキシングコンソールの概略図である。
【図２】図１のミキシングコンソールの側面図であり、タッチセンシティブディスプレイがどのようにミキシングコンソールに接続されるのかをより詳細に明示する図である。
【図３】オーディオ信号を制御するために使用されるディスプレイおよび制御要素が位置する、ミキシングコンソールの第１の表面領域の概略上面図である。
【図４】タッチセンシティブディスプレイに表示される情報が生成される、ミキシングコンソールの部分の概略図である。
【発明を実施するための形態】
【００３２】
以下、添付図面を参照して本発明の実施形態を詳細に説明する。以下の実施形態の説明は、限定的な意味であると解釈されないことを理解されたい。
【００３３】
図面は、概略的な代表例であるとみなされ、図面に例示される要素は、必ずしも一定の縮尺で示されるとは限らない。むしろ、種々の要素は、それらの機能および全般的な目的が当業者に明らかになるように表される。図面に示される、または本明細書で説明される異なるモジュールまたはブロック、デバイスおよび構成要素、ならびに他の物理ユニットもしくは機能ユニットの間の任意の接続または連結はまた、間接的な接続または連結によっても実現され得る。
【００３４】
さらに、図面に示される機能ブロックは、ハードウェア、ソフトウェアによって、またはハードウェアおよびソフトウェアの組み合わせによって実現され得る。
【００３５】
図１には、ミキシングコンソール１００が概略的に示される。ミキシングコンソール１００は、デジタルミキシングコンソールとすることができる。ミキシングコンソールは、マイクロフォンもしくは電子楽器、または他のデジタルオーディオソース等の異なるソースから、異なるオーディオ信号チャネルを受け取る。ミキシングコンソールは、入力信号を増幅し、また、操作者が要件に従ってそれらを混合するか、それらを等化するか、または効果を加えることを可能にする。ミキシングコンソールはさらに、異なる入力チャネルが混合され得る、混合バスを備える。
【００３６】
ミキシングコンソールは、フェーダーまたは回転ノブ等の異なる制御要素１２０が位置する第１の表面領域１１０を備える。さらに、複数の第１のディスプレイ１３０が第１の表面に提供される。これらの表示ユニットは、オーディオ信号チャネル関連の情報を表示し、また、例えばチャネル画面１３１を備え得、そこでは、オーディオ信号チャネルの信号特性またはオーディオパラメータが表示され得る。チャネル画面は、エンコーダを含むことができ、また、オーディオ信号を操作するためにタッチセンシティブとすることができる。さらに、メーター情報を表示し得る第１のディスプレイ、例えばＬＥＤ棒グラフメーターとして、異なるメーター画面１３２が提供され得る。ディスプレイ１３１および１３２、ならびにフェーダー１２１または回転ノブ１２２等の制御要素１２０は、第１の表面領域１１０に提供される。図１で示される実施形態において、第１の表面領域１１０は、平面ではなく、異なる傾斜レベルを有する異なる区間を備える。一例として、第１の表面領域は、ユーザに対して第１の画定された傾斜を有する表面領域１１２の第１の部分１１１を備え得、その後に、操作者に対してより良好な視界を提供するためにさらに傾斜させた、表面領域の第２の部分が続く。図１で示される実施形態では、第１の表面領域の第３の部分１１３が提供され、そこには、操作者にオーディオ信号チャネルの特定の特徴を通知する、異なるディスプレイが位置する。図１で示される実施形態において、異なる部分１１１、１１２、および１１３は、操作者に対して異なる配向を有する。しかしながら、部分１１１、１１２、および１１３を備える第１の表面領域はまた、異なる部分１１１、１１２、および１１３が互い平行であるように、平面でもあり得ることを理解されたい。互いに対する異なる部分の傾斜は、主にミキシングコンソールのサイズに依存する。ミキシングコンソールがより大型であるほど、操作者が第１の表面領域の異なる部分で異なる情報を概観するために、表面傾斜の数がより多くなる。さらに、オーディオ入力／出力インターフェース１８５が概略的に示され、そこでは、異なるオーディオ信号入力チャネルを受け取り、また、マスターチャネルを出力する。
【００３７】
第１の表面領域の異なる部分はまた、上面図で図３にも示される。図３の実施形態では、回転作動要素１２２が提供され、それによってオーディオ信号の異なる特性を調整することができるタッチセンシティブディスプレイであるチャネル画面等のディスプレイ１３１の一部として提供されるように、回転ノブの配設が若干修正されている。
【００３８】
ユーザインターフェースである第１の表面領域に加えて、ミキシングコンソールは、オーディオ処理およびオーディオ入力／出力インターフェース１８５のために提供される、中心的な部分を備える。中心的な部分（図示せず）およびオーディオインターフェース１８５は、これらの部分が現在のミキシングコンソールで使用されている部分に対応するので、詳細に説明されない。
【００３９】
図１の実施形態では、ミキシングコンソール１００の第１の表面領域１１０に接続される、タッチセンシティブディスプレイ２００が示される。タッチセンシティブディスプレイは、取り外し可能なディスプレイとして構成することができ、ミキシングコンソール１００のさらなるマンマシンインターフェースを提供する。以下では、タッチセンシティブディスプレイ２００が概略側面図で示される、図２も参照する。タッチセンシティブディスプレイは、第１の表面領域の接続構造の中で誘導される車輪等の支持要素２１０を備えることができる。第１の表面領域に提供される接続構造または接続要素は、第１の表面領域に提供され、かつその中を車輪２１０が移動することができる、レール１５０として設計され得る。図１で示される実施形態において、タッチセンシティブディスプレイは、図１に示される矢印ｈによって示されるように、水平方向に沿って移動させることができる。しかしながら、第１の表面領域に提供される接続要素はまた、水平移動に対して垂直なもう一方の方向ｖでの移動も可能であり得ることを理解されたい。この実施形態において、タッチセンシティブディスプレイは、図１に示される矢印ｖに平行に移動可能である。図１で示されるミキシングコンソールについて、これは、ある場所でタッチセンシティブディスプレイがディスプレイ１３２を覆うのに対して、示される実施形態では、実際にディスプレイ１３１を覆うように、タッチセンシティブディスプレイがその配向を変化させ得ることを意味する。タッチセンシティブディスプレイは、異なる部分を有することができ、例えば、異なるタッチセンシティブゾーンに分割され得る。第１の部分は、全般的な概観および位置付けについてパッチ状況を表示し得るのに対して、第２の表示部分は、パッチマトリクスを直接タッチすることによって変更することができる拡大したコンテンツを示す。さらに、ディスプレイは、ディスプレイ上のタッチ選択ボックスに割り当てられ、かつ正確なパラメータの変更を可能にする、追加的な大型回転エンコーダを含むことができる。遠隔操作のためにディスプレイを取り外した場合、パラメータは、画面上でスライドさせることによって変更することができる。この実施形態において、物理的なエンコーダは、ミキシングコンソールに取り付けられる移動可能な部分に載置される。
【００４０】
図２で示されるように、タッチセンシティブディスプレイは、受電ユニット２２０を備え、それを介して、タッチセンシティブディスプレイ２００を動作させるために必要とされる電力がディスプレイに送給される。図４に関連して後で説明されるように、ミキシングコンソールは、受電ユニット２２０に伝送される電力を提供する、電力提供モジュールを備える。受電ユニットは、ミキシングコンソール本体に設置される電力提供モジュールによって提供される電力の適応結合のための、１つ以上のソレノイドを備え得る。受電ユニット２２０はまた、タッチセンシティブディスプレイに表示される情報を生成するために必要とされる情報を受け取るように構成される、通信インターフェースとしても使用され得る。通信インターフェースは、別個のモジュールとすることもできる。図４に関連して下でさらに詳細に説明されるように、ミキシングコンソールは、例えばディスプレイの画面に、タッチセンシティブディスプレイ２００によって表示される情報を生成する、情報生成ユニットを備える。この種類の情報は、ミキシングコンソール内で生成され、次いで、無線通信接続を使用して、タッチセンシティブディスプレイに伝送される。
【００４１】
示される実施形態では、第１の表面領域上でタッチセンシティブディスプレイを移動させるために、車輪が使用される。しかしながら、第１の表面領域上でタッチセンシティブディスプレイを移動させるために、またはディスプレイを第１の表面領域の異なる部分に接続するために、他の要素または機構が使用され得ることを理解されたい。
【００４２】
図１を再度参照すると、ミキシングコンソール１００は、異なるベイまたはブロック１０１、１０２、および１０３を備え得る。ベイまたはブロックの数は、ミキシングコンソールのサイズによって異なり、図１の実施形態では、概略的に３つの異なるベイが示されているのに対して、図３では５つのベイが示されている。ミキシングコンソールは、複数の異なるオーディオチャネルを受け取る。各ベイまたはブロックは、ある数のチャネルを制御するために必要とされるディスプレイおよび制御要素を備え得、一例としては、ベイ１０１が、第１の４つの信号チャネルを制御するために必要とされる制御要素およびディスプレイを備えるのに対して、第２のベイ１０２が、信号チャネル５〜８を制御するために必要とされる制御要素およびディスプレイを備える、等である。これは、異なるオーディオ信号チャネルを制御するために、第１の表面領域の異なる部分が提供されることを意味する。さらに、ベイ、例えば図３で示されるベイ１０５または図１のベイ１０３は、オーディオ信号に対応するマスターチャネルまたはバスが制御される、マスターベイとして提供することができる。
【００４３】
タッチセンシティブディスプレイおよびミキシングコンソールは、この時点で、タッチセンシティブディスプレイによって表示される情報が、タッチセンシティブディスプレイが位置する第１の表面領域の位置に依存するように構成され得る。第１の表面領域上でのタッチセンシティブディスプレイの移動を誘導するために使用される接続要素１５０は、図１で示されるスナップイン位置１５１、１５２等の、異なるスナップイン位置を有することができる。
【００４４】
上で論じられるように、第１の表面領域の異なる部分は、異なるオーディオ信号チャネルを制御するために提供される。タッチセンシティブディスプレイをスナップイン位置１５１等のスナップイン位置まで移動させたときに、ミキシングコンソールは、タッチセンシティブディスプレイが、タッチセンシティブディスプレイが位置する第１の表面領域の部分で制御されるオーディオ信号チャネルまたはオーディオ信号チャネルに関連する情報を表示するように設計することができる。上で挙げられる実施例に戻ると、チャネル１〜４が第１のベイで制御され、かつ、タッチセンシティブディスプレイを、タッチセンシティブディスプレイがスナップイン位置１５１へスナップインする位置まで移動させた場合、タッチセンシティブディスプレイは、これらのチャネル１〜４またはこれらのチャネルのうちの１つに関連する情報を表示し得る。タッチセンシティブディスプレイをスナップイン位置１５２まで移動させた場合、タッチセンシティブディスプレイは、上の例示的なチャネル５〜８において、ミキシングコンソールの対応する部分において制御されるオーディオ信号チャネルに関連する情報を表示し得る。
【００４５】
全般的に、タッチセンシティブディスプレイは、上で述べられるようにチャネル関連の情報を表示し得るか、またはミキシングコンソール全体としての操作状態に関連する情報を表示し得、例えば、異なるチャネルのパッチング図を示し得るか、またはミキシングコンソール全体に関連し、単一のチャネルに関連しない他の機能を示し得る。
【００４６】
加えて、タッチセンシティブディスプレイに表示するために生成される情報は、ユーザに、あるオーディオ信号パラメータだけを通知し得る。しかしながら、タッチセンシティブディスプレイはまた、ボタンまたは制御要素も表示し得、それらによって、操作者は、表面にタッチすることによって、オーディオ信号のミキシング、またはパラメータもしくは特性を能動的に制御することができる。タッチセンシティブディスプレイはまた、その表面に対する複数のタッチまたはほぼタッチを識別し、場所を特定するように構成される、マルチタッチディスプレイでもあり得ることを理解されたい。
【００４７】
図３で示される実施形態では、第１の表面がより詳細に示される。表面の異なる部分１１１、１１２、１１３は、全てが平行であり得るか、または図１で示されるように傾斜され得る。図１で示される実施形態において、接続要素１５０は、第１の表面領域での水平移動が可能であるように、２つのレールが配設されるように設計される。２つの垂直に配設されるレール１５３によって、図３で示されるように、水平移動に対して垂直な移動も可能であり得る。レールはさらに、垂直方向にスナップイン位置を備え得るが、それらは、図３において詳述されない。ディスプレイの支持要素はまた、第１の表面の対応する機構と協働するレールでもあり得る。この実施形態では、タッチセンシティブディスプレイの一方の部分だけが表面に接続され、ディスプレイのもう一方の部分は、表面の上側に浮いている。好ましい実施形態において、フェーダー１２１等のフェーダーは、操作者がオーディオ信号を制御するためにこれらのフェーダーに常時アクセスすることを必要とし得るので、移動可能なタッチセンシティブディスプレイによって覆われない。しかしながら、別の実施形態では、第１の表面領域に提供される接続要素が、タッチセンシティブディスプレイが第１の表面領域によって覆われる全領域へ移動され得るように配設され得ることを理解されたい。
【００４８】
図３で示される実施形態では、回転ノブ１２２がタッチセンシティブディスプレイ１３１に提供され得るが、該回転ノブは、この実施形態においてタッチセンシティブである。作動要素の異なる配設を象徴するために、ベイ１０１は、部分１１１にフェーダー１２１および回転ノブ１２３を示すのに対して、ベイ１０２では、第１の表面の部分１１１がフェーダー１２１だけを含む。
【００４９】
図４に関連して、タッチセンシティブディスプレイに表示される情報を生成するために必要とされる異なる構成要素が、より詳細に論じられる。タッチセンシティブディスプレイ２００は、表示生成モジュール２４０と、タッチセンシティブディスプレイ２００を動作させるために必要とされる電力を受け取る、受電ユニット２２０とを備える。受電ユニットはまた、タッチセンシティブディスプレイの画面に表示される情報を受け取る、通信インターフェースとしても使用され得る。タッチセンシティブディスプレイの画面（図示せず）に表示される情報は、ミキシングコンソールの筺体の中へ組み込まれ得る情報生成ユニット１６０によって生成される。表示生成ユニット２４０は、ミキシングコンソールから受け取った信号の中で、ディスプレイ２００の画面に示されるべき表示情報を検出する。表示情報は、信号から抽出され、表示情報をディスプレイ２００の画面（図示せず）で、コンソールの操作者に提示することができるように処理される。とりわけ、タッチセンシティブ表面によって生成されるコマンドがミキシングコンソール、例えばオーディオ処理部に伝送されるので、通信は、双方向であることを理解されたい。位置検出ユニット１７０は、例えば、スナップイン位置１５１、１５２、または１５３のどこにタッチセンシティブディスプレイが位置するのかを検出することによって、第１の表面領域上のタッチセンシティブディスプレイ２００の位置を検出する。位置検出ユニットは、タッチセンシティブディスプレイの位置を判定するために光ビームが使用される、光学要素に基づき得る。位置を判定するために、磁気誘導が使用され得るか、または例えばタッチセンシティブディスプレイに提供されるＧＰＳ受信機による、衛星に基づく位置測定が使用され得る。さらに、第１の表面領域上のタッチセンシティブディスプレイ２００の位置を判定するために、ビデオ信号が使用され、処理され得る。
【００５０】
タッチセンシティブディスプレイ２００に提供される電力は、電力提供モジュール１８０によって提供される。示される実施形態において、電力は、支持線１９０に提供され、該支持線から、無線伝送技術、例えばＲＦ磁界を使用して、電力および表示される情報がタッチセンシティブディスプレイに伝送される。
【００５１】
タッチセンシティブディスプレイはまた、それ自体の電源（図示せず）も備え得る。この実施形態において、タッチセンシティブディスプレイ２００は、接続要素１５０から離れて移動し得るが、それでも、ミキシングコンソールを監視または制御するために使用され得る。表示される情報は、ＷｉＦｉまたはＢｌｕｅｔｏｏｔｈ（登録商標）を使用して、タッチセンシティブディスプレイに伝送され得る。
【００５２】
タッチセンシティブディスプレイ２００は、第１の表面領域のある領域を覆う。ミキシングコンソールは、タッチセンシティブディスプレイがミキシングコンソールに接続されたときに、表示ユニット１３１もしくは１３２、または制御要素１２１および１２２等の制御要素のいずれかが、タッチセンシティブディスプレイによって覆われ、よって、覆われた表示要素または制御要素に操作者がアクセスできないように設計され得る。しかしながら、タッチセンシティブディスプレイは、第１の表面領域の周囲を移動させることができるので、タッチセンシティブディスプレイによって覆われた領域またはタッチセンシティブディスプレイによって覆われたディスプレイに位置する操作要素に、操作者がアクセスする必要がある場合、操作者は、タッチセンシティブディスプレイを別の位置に移動させ得る。別の実施形態において、タッチセンシティブディスプレイは、コンソールに提供される異なる第１のディスプレイを置き換え得る。すなわち、タッチセンシティブディスプレイは、オーディオ信号チャネル関連の情報を表示する異なるディスプレイ、例えば図１および図３に示されるディスプレイ１３２を置き換え得る。この実施形態では、ディスプレイ１３２等のディスプレイが提供される異なる位置まで水平方向に移動する、単一の移動可能なタッチセンシティブディスプレイが提供される。あるベイから次のベイまでタッチセンシティブディスプレイを移動させることによって、異なるオーディオ信号チャネルの対応する信号パラメータを次々に表示させることができる。一例として、タッチセンシティブディスプレイをベイ１０１まで移動させた場合は、ベイ１０１によって制御されるオーディオ信号チャネルの信号パラメータが表示され、また、タッチセンシティブディスプレイをベイ１０２まで移動させた場合、タッチセンシティブディスプレイは、ベイ１０２によって制御されるオーディオ信号チャネルに関連するパラメータを示す。この実施形態において、固定して設置される異なるディスプレイ１３２は、省略され得る。
【図１】
2015080201.tif 000003
【図２】
2015080201.tif 000004
【図３】
2015080201.tif 000005
【図４】
2015080201.tif 000006